(57)【要約】【課題】把持しやすい把持型スイッチ、及び当該把持型スイッチを備えた医療機器を提供すること。【解決手段】ハウジング１１は、細長形状であり、長手方向に延伸すると共に短手方向に向かって湾曲している。ボタン１２は、ハウジング１１の湾曲方向の先端面に設けられ、かつ押し込み面１２１が弧となっている。ハウジング１１の長手方向の長さが６０〜１００ｍｍである。上記長手方向と、ボタン１２のこの中点を通る接線の垂線Ｐ１と、のなす角度が４０〜９０度である。【選択図】図５
2019012669.tif 000002
【特許請求の範囲】
【請求項１】
細長形状であり、長手方向に延伸すると共に短手方向に向かって湾曲しているハウジングと、
前記ハウジングの湾曲方向の先端面に設けられ、かつ押し込み面が弧となっているボタンと、を有し、
前記ハウジングの長手方向の長さが６０〜１００ｍｍであり、
前記長手方向と、前記ボタンの弧の中点を通る接線の垂線と、のなす角度が４０〜９０度である、把持型スイッチ。
【請求項２】
前記垂線と前記長手方向の交点と、前記長手方向における前記ボタン側の前記ハウジングの端点と、の長さが２０〜５０ｍｍである、請求項１に記載の把持型スイッチ。
【請求項３】
前記ハウジングの短手方向の最大長が４０〜７０ｍｍであり、
前記ハウジングの奥行き方向の最大長が３０〜５０ｍｍである、請求項１または請求項２に記載の把持型スイッチ。
【請求項４】
前記ハウジングは、角のない丸みを帯びた形状である、ことを特徴とする請求項１〜３のいずれか１項に記載の把持型スイッチ。
【請求項５】
前記ボタンの前記押し込み面の長径は、１０〜３０ｍｍである、ことを特徴とする請求項１〜請求項４のいずれか１項に記載の把持型スイッチ。
【請求項６】
前記垂線の上に配置され、前記ボタンの押し込みを検出する検出部材と、
を備えることを特徴とする請求項１〜５のいずれか１項に記載の把持型スイッチ。
【請求項７】
前記ハウジングの内部かつ前記ボタンの内部方向に設けられ、前記ボタンの押し込みが伝導する接触点が存在し、
前記ボタンが押し込まれた際に、前記押し込み面の任意の点が前記弧の略中心点に近づくように移動する、ことを特徴とする請求項１〜５のいずれか１項に記載の把持型スイッチ。
【請求項８】
前記接触点に伝わった力を検出する検出部材及び前記ボタンの少なくとも一方は、他方に向かって凸となる凸形状部を有する、ことを特徴とする請求項５または請求項７に記載の把持型スイッチ。
【請求項９】
前記凸形状部は、半円球状である、または先細り形状である、ことを特徴とする請求項８に記載の把持型スイッチ。
【請求項１０】
前記凸形状部は、前記ボタンの表面よりも柔らかい弾性素材により構成される、ことを特徴とする請求項９に記載の把持型スイッチ。
【請求項１１】
前記ハウジングは、前記ボタンの前記押し込み面の任意の点が押された場合であっても前記ボタンの移動方向を一方向に制限する、ことを特徴とする請求項１〜請求項１０のいずれか１項に記載の把持型スイッチ。
【請求項１２】
ハウジングと、
前記ハウジングに設けられ、かつ押し込み面が弧となっているボタンと、
前記押し込み面の弧の中点の接線の垂線上に配置され、前記ボタンの押し込みを検出する検出部材と、
を備える把持型スイッチ。
【請求項１３】
請求項１〜１２のいずれか１項に記載の把持型スイッチと、
前記把持型スイッチからの信号を受け付けると共に、任意の検査または治療を行う医療ユニットと、
を備える医療機器。
【発明の詳細な説明】
【技術分野】
【０００１】
本発明は把持型スイッチ等に関し、特に医療分野において使用される把持型スイッチ等に関する。
【背景技術】
【０００２】
ユーザが把持してボタンを押すことにより他者に意思を伝える把持型スイッチが広く使用されている。特に医療現場においては、知覚検査等の場面で知覚したことを知らせる用途やナースコールの用途で広く把持型スイッチが使用されている。
【０００３】
この把持型スイッチの一例として、引用文献１に記載の入力装置や引用文献２に記載の信号入力機が挙げられる。
【先行技術文献】
【特許文献】
【０００４】
【特許文献１】特開２００９−１４０１０７号公報
【特許文献２】登実３０００７１０号公報
【特許文献３】特開２０１１−１６４８７９号公報
【特許文献４】特開２０１４−３９８７８号公報
【０００５】
【非特許文献１】AIST 日本人の手の寸法データ、[平成29年4月13日検索]、インターネット<URL:https://www.dh.aist.go.jp/database/hand/data/statistics.html>
【発明の概要】
【発明が解決しようとする課題】
【０００６】
医療現場では、上述の把持型スイッチは高齢者を含む幅広いユーザに使用される。そのため把持型スイッチは、万人にとって把持しやすく使いやすいことが必要となる。
【０００７】
しかしながら、引用文献１や引用文献２では、万人にとって把持しやすくするための構成等が示唆されていなかった。すなわち、把持型スイッチに関し、把持しやすさや使いやすさについて更なる検討が必要であった。
【課題を解決するための手段】
【０００８】
本発明にかかる把持型スイッチの一態様は、細長形状であり、その上面が長手方向に沿って湾曲しているハウジングと、前記ハウジングの湾曲方向の先端面に設けられ、かつ押し込み面が弧となっているボタンと、を有し、前記ハウジングの長手方向の長さが６０〜１００ｍｍであり、前記長手方向と、前記ボタンの弧の中点と前記長手方向を結ぶ垂線と、のなす角度が４０〜９０度である、ものである。
【０００９】
また本発明にかかる医療機器の一態様は、上述の把持型スイッチと、当該把持型スイッチからの信号を受け付けると共に、任意の検査または治療を行う医療ユニットと、を備える、ものである。
【００１０】
ユーザはハウジングを３本又は４本の指で巻き付けるようにしてグリップする。ここで、ハウジングの長手方向の長さは６０〜１００ｍｍであるため、３本又は４本の指をしっかりと巻き付けることができる。また、ハウジングの長手方向と、ボタンの弧の中点を通る接線の垂線と、のなす角度が４０〜９０度である。当該角度であることにより、人差し指でボタンを押す際に、３本の指（中指、薬指、小指）をハウジングに巻き付けると、人差し指の自然な延伸方向上にボタンが配置される。また当該角度であることにより、親指でボタンを押す際に、４本の指（人差し指、中指、薬指、小指）をハウジングに巻き付けると、親指を軽く広げた際に親指の腹が自然にボタン上に配置される。このように、本発明にかかる把持型スイッチは、上述の形状とサイズを有することにより、３〜４本の指でハウジングをしっかりと把持できると共に、無理のないボタン操作を行うことができる。
【発明の効果】
【００１１】
本発明は、万人にとって把持しやすい把持型スイッチ、及び当該把持型スイッチを備えた医療機器を提供することができる。
【図面の簡単な説明】
【００１２】
【図１】実施の形態１にかかる把持型スイッチ１の外観構成図（正面図）である。
【図２】実施の形態１にかかる把持型スイッチ１の外観構成図（側面図）である。
【図３】実施の形態１にかかる把持型スイッチ１の外観構成図（上面図）である。
【図４】実施の形態１にかかる把持型スイッチ１の外観構成図（裏面図）である。
【図５】実施の形態１にかかる把持型スイッチ１の外観構成図（側面図）である。
【図６】人間の手の構造を示す模式図である。
【図７】実施の形態１にかかる把持型スイッチ１の使用状態を示す図である。
【図８】実施の形態１にかかる把持型スイッチ１の使用状態を示す図である。
【図９】実施の形態１にかかるボタン１２の拡大断面図である。
【図１０】実施の形態１にかかるボタン１２の拡大断面図である。
【図１１】実施の形態１にかかるボタン１２の拡大断面図である。
【図１２】実施の形態１にかかる知覚検査装置１００の構成を示す外観図である。
【発明を実施するための形態】
【００１３】
＜実施の形態１＞
以下、図面を参照して本発明の実施の形態について説明する。はじめに把持型スイッチ１の外観構成を説明する。
【００１４】
以下、図１〜図４を参照して把持型スイッチ１の外観構成について説明する。図１〜図４は把持型スイッチ１の外観を示す外観図である。図１〜図４では、ボタン１２に正対した状態を正面とする。図１は、把持型スイッチ１のボタン１２を正面に配置した場合の正面図である。図２は、把持型スイッチ１の側面図（ボタン１２を右端に配置した際の図）である。図３は、把持型スイッチ１の上面図である。図４は、把持型スイッチ１の裏面図である。なお、各図の説明においてボタン１２と正対した状態の左右方向をＸ軸方向、上下方向をＹ軸方向、奥行き方向をＺ軸方向とする。
【００１５】
把持型スイッチ１は、ハウジング１１にボタン１２が設けられた構成である（図１、図２）。ハウジング１１は、Ｙ軸方向を長手方向とする細長の形状である（図１）。ハウジング１１の細長形状の一端側（−Ｙ側）からブッシュ１４及びコード１５が延設されている（図１）。ハウジングの細長形状の他端側（＋Ｙ側）にはボタン１２が配置されている（図１）。
【００１６】
コード１５は、図示しない任意の医療機器と接続する。ブッシュ１４は、コード１５とハウジング１１の接続部の緩衝に用いられる部材であり、例えばナイロン、テフロン、軟質塩化ビニール等により構成される。
【００１７】
把持型スイッチ１は、片手で把持可能な大きさであり、詳細なサイズは図５を参照して後述する。
【００１８】
図２を参照すると、ハウジング１１はＹ軸方向に細長形状を有すると共に、長手方向（Ｙ軸方向）から短手方向（Ｚ方向）に向かって緩やかに湾曲する湾曲面１１１を有する。換言するとハウジング１１は、細長形状であると共に＋Ｚ方向に向かってなだらかに湾曲している。ボタン１２は、ハウジング１１の湾曲方向（＋Ｙ方向と＋Ｚ方向の中間方向）の先端面に設けられたボタンである。ボタン１２は、ユーザによって押し込まれるボタンであり、その押し込み面１２１（表面）が図示するように弧となっている。換言するとボタン１２は、ドーム型の形状を有している。ボタン１２の押し込み面１２１は、ユーザの親指よりも大きいサイズとすることが好ましく、例えば長径が１０〜３０ｍｍである。このような大きなサイズとすることにより、どの指でボタン１２を押す場合であっても容易に押しこむことができる。またユーザの手が小さい場合であってもボタン１２を容易に押下することができる。
【００１９】
発光部１３は、ボタン１２とハウジング１１の境界面１１２と平行に設けられ（図２）、かつリング状（図１、図３）のインジケータである。発光部１３は、ボタン１２がユーザによって押し込まれた際に、その押し込みを報知するように発光する。発光部１３が発光することにより、ユーザに対して様々な報知を行うことが可能である。例えば発光部１３が発光することにより、トレーニング目的の使用時にユーザにボタン１２を押すタイミングを伝えることができる。
【００２０】
なお発光部１３のハウジング１１上での配置位置は任意の位置でよく、またリング形状でなくてもよい。すなわち発光部１３は、ボタン１２の押し込みを報知することができる任意の視覚報知手段であればよい。
【００２１】
図３から明らかなように、ボタン１２は＋Ｚ方向（ボタン１２を正面視した場合の手前方向）に凸となるように配置されている。
【００２２】
把持型スイッチ１を裏面（ボタン１２を正面視した場合の裏側面）から見ると（図４）、上下方向（Ｙ軸方向）に細長の形状となっている。
【００２３】
図１〜図４を参照すると、把持型スイッチ１は全体的に角のない丸みを帯びたシルエットとなっている。これにより把持型スイッチ１は、被検者が把持した場合に、被検者の手にフィットしやすくなっている。
【００２４】
図５を参照して、把持型スイッチ１の形状や大きさについて更に説明する。図５は、図２の側面図と同様の図面に適宜の説明を付け加えた図である。把持型スイッチ１は、図示するように細長形状であり、その長手方向Ｌ１の長さＡは、６０〜１００ｍｍである。把持型スイッチ１の湾曲面１１１は、長手方向Ｌ１にから短手方向（Ｚ方向）に向かって緩やかに湾曲している（換言すると＋Ｚ方向に向かって湾曲している）。ボタン１２は、長手方向Ｌ１から側面側（＋Ｚ方向）にずれた位置に配置される。
【００２５】
ボタン１２は、ハウジング１１の湾曲方向の先端面に設けられており、かつ押し込み面１２１が弧となっている。ここでボタン１２の弧の中点をＴ１とし、中点Ｔ１を通る弧の接線をＬ２とする。中点Ｔ１を通る接線Ｌ２の垂線Ｐ１とし、垂線Ｐ１と長手方向Ｌ１との交点をＭ１とする。また長手方向Ｌ１のハウジング１１の端点をＥ１とする。この場合、端点Ｅ１から交点Ｍ１までの長さＢは、２０〜５０ｍｍである。
【００２６】
また垂線Ｐ１と長手方向Ｌ１とのなす角度Ｃは４０〜９０度（好適には５０〜７５度）である。さらにハウジング１１の短手方向（長手方向Ｌ１の垂線方向）の最大幅Ｄは４０〜７０ｍｍ程度であり、持ち手部分（湾曲角度の変わる点まで）の最大幅Ｅは３０〜６０ｍｍ程度である。また図３におけるハウジング１１のＸ軸方向（奥行き方向）の最大長Ｆは、３０〜５０ｍｍである。
【００２７】
このように長手方向Ｌ１の長さＡが６０〜１００ｍｍの細長形状であり、ボタン１２が長手方向Ｌ１に沿って角度Ｃ（４０〜９０度）で湾曲した位置に配置されている。日本人の手幅（橈側中手点から尺側中手点までの直線距離）は、男性で最大でも９５．１ｍｍ以下となる（非特許文献１）。そのため、長さＡが６０〜１００ｍｍであり、持ち手部分の最大幅Ｅが３０〜６０ｍｍ程度であり、短手方向の最大幅Ｄが４０〜７０ｍｍ程度である。また図３におけるハウジング１１のＸ軸方向の最大長Ｆは、３０〜５０ｍｍである。日本人の手長（茎突点から）の長さは概ね１６６ｍｍ〜２１０ｍｍであるため（非特許文献１）、３本または４本の指（後述の図７、図８を参照）でハウジング１１をしっかりと巻き付けるようにしてグリップすることができる。
【００２８】
人間の手の構造について図６を参照して簡単に説明する。人差し指を閉じて力を入れずに親指を伸ばした場合、人差し指と親指のなす角度は４０〜９０度程度である（図６（Ａ）の角度Ｇ）。また中指／薬指／小指を閉じて人差し指を力を入れずに伸ばした場合、中指と人差し指のなす角度は０〜５０度程度である（図６（Ｂ）の角度Ｈ）。そのため、ボタン１２が長手方向Ｌ１に沿って４０〜９０度の角度で湾曲していることにより、親指でボタン１２を押す場合であっても（後述の図７）、人差し指でボタン１２を押す場合であっても（後述の図８）、関節の可動範囲に応じた無理のない把持とボタン操作を行うことができる。当該詳細を図７及び図８を参照して説明する。
【００２９】
図７を参照して、把持型スイッチ１の使用状態の第１例を説明する。第１例では、ボタン１２を親指ｆ１で押す使用状態を示す。４本の指（親指、中指、薬指、及び小指）をハウジング１１の短手方向（長手方向Ｌ１と直交する方向）に巻き付けた場合、親指ｆ１の延伸方向Ｌ３は長手方向Ｌ１に対してほぼ平行となり、親指ｆ１を伸ばすとボタン１２の方向に向かって延伸する。すなわち上述の角度Ｃと角度Ｇ（親指ｆ１と人差し指がなす角度）の差が小さい状態となる。これは人差し指を閉じて力を入れずに親指を伸ばした場合、人差し指と親指のなす角度は４０〜９０度程度だからである（図６（Ａ）の角度Ｇ）。そして、親指ｆ１の第１関節を軽く曲げることにより、ボタン１２が親指ｆ１の腹付近に自然に配置される。すなわち、接線Ｌ２と略同一方向に親指ｆ１の腹を配置することができる。また長手方向Ｌの長さＡ（図５）が上述のサイズであることにより、４本の指をハウジング１１に巻き付けるようにして無理なく配置することができる。すなわち、ハウジング１１をしっかりグリップできると共に、自然に親指ｆ１をボタン１２上に配置することができる。
【００３０】
また図８を参照して、把持型スイッチ１の使用状態の第２例を説明する。第２例では、ボタン１２を人差し指ｆ２で押す使用状態を示す。３本の指（中指、薬指、及び小指）をハウジング１１の短手方向（長手方向Ｌ１と直交する方向）に巻き付けるようにして把持した際に、中指の延伸方向Ｌ４は長手方向Ｌ１に対してほぼ直交する。そのため、垂線Ｐ１の方向（すなわち長手方向Ｌ１と垂線Ｐ１のなす角度であるＣ）は人差し指ｆ２を伸ばした場合の方向に略一致する。これは、長手方向Ｌ１と垂線Ｐ１のなす角度Ｃが４０〜９０度であり、中指／薬指／小指を閉じて人差し指を力を入れずに伸ばした場合の中指と人差し指のなす角度が０〜５０度程度だからである（図６（Ｂ）の角度Ｈ）。また長手方向Ｌの長さＡ（図５）が上述のサイズであることにより、３本の指をハウジング１１に巻き付けるようにして無理なく配置することができる。よってユーザは、ハウジング１１をしっかりとグリップできると共に、人差し指ｆ２の腹を無理なくボタン１２上に配置することができる。これにより、操作者は違和感なく把持型スイッチ１を把持しながらボタン１２の操作をすることができる。
【００３１】
なお図８では人差し指ｆ２でボタン１２を押すようにしたが、中指でボタン１２を押すように把持しても勿論構わない。また図３で示すように把持型スイッチ１は、左右対称の構造を持つ。そのため、ユーザは右手で持つ場合であっても左手で持つ場合であっても違和感なく把持型スイッチ１を把持することができる。また角度Ｃは５０〜７５度であれば、各関節により力を入れることなく、より自然に把持型スイッチ１を把持できる。
【００３２】
続いて、図１〜図８に示した外観構成を有する把持型スイッチ１の効果について説明する。図７及び図８に示すように、ユーザはハウジング１１の下部側（コード１５の延伸側）を３本又は４本の指で巻き付けるようにしてグリップする。ここで、ハウジング１１の長手方向の長さは６０〜１００ｍｍであるため、３本又は４本の指をしっかりと巻き付けることができる。また、長手方向Ｌ１と垂線Ｐ１とのなす角度は４０〜９０度である。当該角度であることにより、人差し指ｆ２でボタン１２を押す際に、３本の指（中指、薬指、小指）をハウジング１１に巻き付けると、人差し指ｆ２の自然な延伸方向上にボタン１２が配置される。また当該角度であることにより、親指ｆ１でボタン１２を押す際に、４本の指（人差し指、中指、薬指、小指）をハウジングに巻き付けると、親指ｆ１を広げた自然な位置にボタン１２が配置される。
【００３３】
このように、把持型スイッチ１は、図５に示す形状とサイズを有することにより、しっかりと把持できると共に、無理のない操作を行うことができる。また当該形状であることにより、ユーザの好みに応じた指でボタン１２を操作することができる。
【００３４】
また垂線Ｐ１と長手方向Ｌ１の交点Ｍ１と、長手方向Ｌ１におけるボタン１２側のハウジング１１の端点Ｅ１と、の長さＢは２０〜５０ｍｍである。当該サイズであることによりハウジング１１のサイズが大きくなりすぎないと共に、上述のように親指ｆ１や人差し指ｆ２をボタン１２上に自然に配置することができる。
【００３５】
ハウジング１１は角の無い丸みを帯びた形状である。これにより、ユーザはしっかりとハウジング１１をグリップすることができる。
【００３６】
続いて、図９を参照してボタン１２付近の内部構造について説明する。図９は、図２におけるＡ−Ａ断面図（すなわちボタン１２の拡大断面図）である。図示するようにボタン１２は、ユーザの指によって押圧される面（外部に露出している面）である押し込み面１２１が湾曲している。より具体的にはボタン１２は、押し込み面１２１が弧となっている（換言するとドーム型となっている）。なお図９の例ではボタン１２の押し込み面１２１は楕円状の弧となっているが、これに限られず円弧であってもよい。
【００３７】
ボタン１２は、押し込み面１２１の弧の中点Ｔ１の接線Ｌ２の垂線Ｐ１上に検出部材１６との接触点１７を有する。接触点１７は、ボタン１２の押し込みが伝導する点である。これにより、ボタン１２の押し込み面１２１のどこに力が加わったとしても、弧の中心方向に存在する接触点１７に向かって力が伝わる。すなわちボタン１２の押し込み面１２１にかかる力は、弧の中心方向に存在する接触点１７に集約されるようにして伝わる。
【００３８】
異なる観点からボタン１２と検出部材１６の関係について更に説明する。検出部材１６は、ハウジング１１の内部かつボタン１２の内部方向に設けられている。またボタン１２の任意の押し込み面１２１は、押し込まれた際に弧の略中心点に向かって移動する。換言すると、どの箇所が押された場合であってもボタン１２は接触点１７に近づくように移動する。ボタン１２に力が加わった場合には常に接触点１７に向かって力が伝わるため、ボタン１２の押し込みを正確に検出できる。
【００３９】
ハウジング１１の一部であるガイド１１３は、ボタン１２が押し込まれた際に、ボタン１２の移動方向を垂線Ｐ１の方向にのみ（一方向にのみ）制限するようにボタン１２を支持する。換言するとガイド１１３は、垂線Ｐ１の垂線方向の両側からボタン１２を囲むようにして固定するため、ボタン１２の移動方向を１方向に制限する。これにより、ボタン１２の押し込み面１２１のどの箇所が押された場合であっても力が接触点１７に効率的かつ安定的に伝わる。
【００４０】
検出部材１６は、ボタン１２の押し込みを検知するための部材であり、一例としてタクトスイッチが挙げられる。ボタン１２からの力が接触点１７に伝わる。検出部材１６の接触点１７付近は、いわゆる電気的接点を構成する。
【００４１】
検出部材１６は、接触点１７に伝わった力を検知し、この力により内部電気回路を通電させる。検出部材１６は、この通電により生じた検知信号を図示しない配線やコード１５内の配線を介して外部装置に通知する。検出部材１６は、接触点１７に対する力の検知が終了した場合に検知信号の出力を停止する。
【００４２】
また検出部材１６は、接触点１７に対して力が加わった際に、検知信号を発光部１３に入力してもよい。発光部１３は、例えばインジケータランプ（発光素子の一態様）及びその周辺回路を有する。発光部１３は、検知信号が入力された際に発光する。すなわち発光部１３は、ボタン１２の押し込みが行われている間に発光する。
【００４３】
検出部材１６は、接触点１７に向かって先細りとなるような半円球状の凸形状部１６１を有する。これにより検出部材１６は、ボタン１２から伝わった力を面ではなく一点（狭い領域）で検出する。検出部材１６は、一点で力を検出するため、ボタン１２に加わった力が微弱なものであっても正確にボタン１２の押し込みを検出することができる。
【００４４】
なお検出部材１６における凸形状部１６１は半円球状に限られず、他の凸形状（例えばテーパー形状を有する三角柱や四角柱のような角柱形状）であってもよい。すなわち検出部材１６は、ボタン１２の押し込み時に、点支持するようにしてボタン１２と接触するものであれば他の形態であってもよい。
【００４５】
図１０は、把持型スイッチ１のボタン１２の断面の第１変形例である。図示するようにボタン１２側に半円球状の凸形状部１２２が設けられている。当該構成ではボタン１２の任意の押し込み面１２１に加わった力が凸形状部１２２に集約されて検出部材１６に伝わる。検出部材１６は、一点（接触点１７）で力を検出するため、ボタン１２に加わった力が微弱なものであっても正確にボタン１２の押し込みを検出することができる。
【００４６】
なお当該構成においてもガイド１１３は、ボタン１２の押し込み時の移動方向を垂線Ｐ１方向のみに限定する。これにより押し込み面１２１のどの箇所が押された場合であっても、加わった力が接触点１７に容易に伝わる。
【００４７】
すなわち図９及び図１０を概略すると、検出部材１６及びボタン１２の少なくとも一方は、他方との接触点１７に向かって凸となる凸形状部（１２２、１６１）を有することが好ましい。ここで凸形状部（１２２、１６１）は、必ずしも半円球状でなくてもよく、他方に向かって凸となる形状（例えば先細り形状）であればよい。これにより、ボタン１２に加わった力が微弱なものであっても正確にボタン１２の押し込みを検出することができる。
【００４８】
図１１は、把持型スイッチ１のボタン１２の断面の第２変形例である。基本的な構成は図９と同様であるが、検出部材１６の素材構成が若干異なる。本変形例では、検出部材１６の凸形状部１６１は、ボタン１２の表面（押し込み面１２１）の素材よりも柔らかい弾性素材（例えばゴム等の弾性素材）で構成される。そして、凸形状部１６１の幅広方向の端部に電気的接点を構成する基盤１６２が設けられている。
【００４９】
当該構成により、ボタン１２の押下により加わった力が凸形状部１６１により緩衝されたうえで基盤１６２に伝わる。力が緩衝されて伝わるため、検出部材１６（特に電気的接点）の耐久性を向上させることができる。換言すると長期間にわたる使用が行われた場合であっても故障等のリスクが軽減される。
【００５０】
なお図１０の構成においても凸形状部１２２をボタン１２の表面（押し込み面１２１）の素材よりも柔らかい弾性素材（例えばゴム等の弾性素材）で構成してもよい。これにより、ボタン１２の押し込み時に加えられた力が緩衝されて伝わり、検出部材１６（特に電気的接点）の耐久性を向上させることができる。
【００５１】
なお上述の説明では、検出部材１６がボタン１２を（又はボタン１２が検出部材１６を）点支持するものとして説明した（図９、図１０、図１１）。ここで点支持とは、テーパー形状（接触点１７に向かって先細りしていく形状）の先の部分が支持することを意味し、接触点１７が一定の面積を有してもよい。また、点支持をする方が検出感度の向上を見込めるものの、点支持する構成は必須の構成ではない。
【００５２】
続いて図１２を参照して、把持型スイッチ１の使用例について説明する。図１２は、把持型スイッチ１を構成の一部とする知覚検査装置１００を示す外観図である。知覚検査装置１００は、把持型スイッチ１と知覚検査ユニット２を有する。知覚検査ユニット２は、ケーブル４を介して電極３と接続可能である。
【００５３】
電極３は、被検者の皮膚表面（例えば足の甲）に貼付される。知覚検査ユニット２は、電極３を介して末梢神経線維（Ａδ繊維、Ｃ繊維）の刺激を行うものである。知覚検査ユニット２は、筐体上にディスプレイや電流設定用のインターフェイス（例えばボタンやホイールスクロール）を有する。検査者は、このインターフェイスを操作することにより電極３を介して被検者に与える刺激を調整する。
【００５４】
被検者は、電極３が貼付されると共に把持型スイッチ１を把持する。被検者は、電極３を介して刺激を感じた際に把持型スイッチ１のボタン１２を押下する。ボタン１２の押下に応じ、検出信号が知覚検査ユニット２に入力される。知覚検査ユニット２は、刺激開始からボタン１２の押下までの時間を測定する。この測定時間と刺激電流の強度に応じて被検者の末梢神経の評価が行われる。
【００５５】
知覚検査ユニット２の詳細構成は、例えば引用文献３と同等の構成であればよい。また電極３の詳細構成は、例えば引用文献４と同等の構成であればよい。
【００５６】
なお知覚検査装置１００は、把持型スイッチ１を構成の一部とする医療機器の一例である。把持型スイッチ１は、この他の医療機器（例えば脳波測定装置や聴力検査装置）に応用されてもよい。すなわち上述の知覚検査ユニット２は、把持型スイッチ１からの信号を受け付け、任意の検査や治療を行う医療ユニットの一態様である。
【００５７】
更に把持型スイッチ１は、病院内のナースステーションとの連絡を行うナースコールに使用されてもよい。つまり把持型スイッチ１は、患者が病棟内のベッド付近からナースを呼ぶために使用されてもよい。このように把持型スイッチ１は、医療現場において被検者や患者の意思を伝達する任意のシチュエーションで利用され得る。
【００５８】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００５９】
例えば発光部１３を有さないシンプルな把持型スイッチ１であっても勿論構わない。当該構成であっても把持型スイッチ１は把持しやすいと共に、ボタン１２の押し込みを正確に検出できる。
【符号の説明】
【００６０】
１  把持型スイッチ
１１  ハウジング
１１１  湾曲面
１１２  境界面
１１３  ガイド
１２  ボタン
１２１  押し込み面
１２２  凸形状部
１３  発光部
１４  ブッシュ
１５  コード
１６  検出部材
１６１  凸形状部
１６２  基盤
１７  接触点
２  知覚検査ユニット
３  電極
４  ケーブル
１００  知覚検査装置（医療機器）
Ｌ１  長手方向
Ｐ１  垂線
【図１】
2019012669.tif 000003
【図２】
2019012669.tif 000004
【図３】
2019012669.tif 000005
【図４】
2019012669.tif 000006
【図５】
2019012669.tif 000007
【図６】
2019012669.tif 000008
【図７】
2019012669.tif 000009
【図８】
2019012669.tif 000010
【図９】
2019012669.tif 000011
【図１０】
2019012669.tif 000012
【図１１】
2019012669.tif 000013
【図１２】
2019012669.tif 000014